(57)【要約】【課題】用紙を簡単に綴じて製本することができ、製本後に上辺側あるいは下辺側をめくることができるファイルの製本方法およびファイルを提供する。【解決手段】綴じ具に立設された複数の綴じ杆６に、裏表紙の上辺側寄り又は下辺側寄りに縦方向に綴じ杆６と同じ間隔で形成された綴じ孔を通し、綴じ杆６に、用紙１の上辺側寄り又は下辺側寄りに縦方向に綴じ杆６と同じ間隔で形成された綴じ孔を通して用紙１を重ね、綴じ杆６に、表表紙２の上辺側寄り又は下辺側寄りに縦方向に綴じ杆６と同じ間隔で形成された綴じ孔を綴じ杆６に通して表表紙２を用紙１の上に重ね、表表紙２から突出している綴じ杆６に係止体１４を通して固定し、係止体１４から突出している綴じ杆６を切除して係止体１４上を平にし、表表紙２の上辺側寄り又は下辺側寄りに設けられている、接着層が剥離紙で覆われている背表紙シール７の剥離紙を剥いで接着層を表出させ、次いで背表紙シールを折り曲げて用紙の背表紙側と裏表紙に接着して背表紙を形成する。【選択図】図７
2014213528.tif 000002
【特許請求の範囲】
【請求項１】
表表紙と裏表紙の間に綴り具で用紙を綴り込み、ファイルの上辺側又は下辺側でめくることが可能なファイルの製本方法において、
前記綴じ具に立設された複数の綴じ杆に、前記裏表紙の上辺側寄り又は下辺側寄りに縦方向に前記綴じ杆と同じ間隔で形成された綴じ孔を通し、
前記綴じ杆に、前記用紙の上辺側寄り又は下辺側寄りに縦方向に前記綴じ杆と同じ間隔で形成された綴じ孔を通して前記用紙を重ね、
前記綴じ杆に、前記表表紙の上辺側寄り又は下辺側寄りに縦方向に前記綴じ杆と同じ間隔で形成された綴じ孔を前記綴じ杆に通して前記表表紙を前記用紙の上に重ね、
前記表表紙から突出している前記綴じ杆に係止体を通して固定し、
前記係止体から突出している前記綴じ杆を切除して係止体上を平にし、
前記表表紙の上辺側寄り又は下辺側寄りに設けられている、接着層が剥離紙で覆われている背表紙シールの前記剥離紙を剥いで前記接着層を表出させ、次いで前記背表紙シールを折り曲げて前記用紙の背表紙側と裏表紙に接着して背表紙を形成することを特徴とする製本方法。
【請求項２】
表表紙と裏表紙の間に綴り具で用紙が綴り込まれ、ファイルの上辺側又は下辺側でめくることが可能なファイルにおいて、
前記綴じ具に立設された複数の綴じ杆に、前記裏表紙の上辺側寄り又は下辺側寄りに縦方向に前記綴じ杆と同じ間隔で形成された綴じ孔が通され、
前記綴じ杆に、前記用紙の上辺側寄り又は下辺側寄りに縦方向に前記綴じ杆と同じ間隔で形成された綴じ孔が通されて前記用紙が重ねられ、
前記綴じ杆に、前記表表紙の上辺側寄り又は下辺側寄りに縦方向に前記綴じ杆と同じ間隔で形成された綴じ孔が前記綴じ杆に通されて前記表表紙が前記用紙の上に重ねられ、
前記表表紙から突出している前記綴じ杆に係止体が通されて固定され、
前記係止体から突出している前記綴じ杆が切除されて係止体上が平にされ、
前記表表紙の上辺側寄り又は下辺側寄りに設けられている背表紙シールが折り曲げて前記用紙の背表紙側と裏表紙に接着されて背表紙が形成されていることを特徴とするファイル。
【発明の詳細な説明】
【技術分野】
【０００１】
本発明は、伝票等の帳票あるいは伝票に関連する処理済み小切手や手形、書類等を重ねて綴じる製本方法およびこの製本方法で綴じられたファイルに関する。
【背景技術】
【０００２】
従来、帳票等の整理あるいは保存のため、これらに形成した綴孔に綴じ紐、あるいは綴じ具の綴じ杆を通して製本している（特許文献１参照）。
【０００３】
特許文献１には、各種の書類、帳票等を順次綴じ込み可能に設けたファイルとして、表表紙と裏表紙とが透明な背表紙を介して連設されるとともに、前記背表紙の内面側に見出し片が配置され、且つ、前記表紙間に書類等を綴じ込み可能な綴じ込み手段が設けられたファイルにおいて、前記綴じ込み手段は、前記裏表紙に支持されて前記表表紙側に向けられるピン軸と、前記表表紙側に設けられて前記ピン軸に係脱可能となるスナップとからなり、前記見出し片は、前記背表紙の内面に相対する表示面と、この表示面に連設されるとともに、前記ピン軸を挿通可能として当該ピン軸に支持される支持面とを備え、前記表表紙の基部側には、当該表表紙と前記背表紙との折り曲げ位置から切り込みが形成されて表表紙とは独立した舌片状部が形成され、当該舌片状部の領域内に前記スナップが設けられているファイルが提案されている。
【先行技術文献】
【特許文献】
【０００４】
【特許文献１】特開平９−１２３６５８号公報
【発明の概要】
【発明が解決しようとする課題】
【０００５】
特許文献１では、表表紙と裏表紙とが背表紙を介して連設されるとともに、前記表紙間に書類等を綴じ込み可能な綴じ込み手段が設けられたファイルであるため、ファイルを予め用意しておく必要があり、また、綴じる用紙の枚数が背表紙の幅に制限されるので、綴じる枚数が多いと、複数のファイルを用意する必要がある。
【０００６】
また、特許文献１および２のファイルでは、製本後に伝票をチェックするにあたり伝票の上辺に記入されている伝票番号から探す際に、綴じ孔が上辺および下辺に近い位置に形成されているので、ファイル後は全体をめくる必要があり、手間がかかり、作業効率が悪いという欠点がある。
【０００７】
そこで、本発明は、用紙を簡単に綴じて製本することができ、製本後に上辺側あるいは下辺側をめくることができるファイルの製本方法および製本方法で製本したファイルを提供するものである。
【課題を解決するための手段】
【０００８】
本願請求項１の発明は、表表紙と裏表紙の間に綴り具で用紙を綴り込み、ファイルの上辺側又は下辺側でめくることが可能なファイルの製本方法において、前記綴じ具に立設された複数の綴じ杆に、前記裏表紙の上辺側寄り又は下辺側寄りに縦方向に前記綴じ杆と同じ間隔で形成された綴じ孔を通し、前記綴じ杆に、前記用紙の上辺側寄り又は下辺側寄りに縦方向に前記綴じ杆と同じ間隔で形成された綴じ孔を通して前記用紙を重ね、前記綴じ杆に、前記表表紙の上辺側寄り又は下辺側寄りに縦方向に前記綴じ杆と同じ間隔で形成された綴じ孔を前記綴じ杆に通して前記表表紙を前記用紙の上に重ね、前記表表紙から突出している前記綴じ杆に係止体を通して固定し、前記係止体から突出している前記綴じ杆を切除して係止体上を平にし、前記表表紙の上辺側寄り又は下辺側寄りに設けられている、接着層が剥離紙で覆われている背表紙シールの前記剥離紙を剥いで前記接着層を表出させ、次いで前記背表紙シールを折り曲げて前記用紙の背表紙側と裏表紙に接着して背表紙を形成することを特徴とする製本方法である。
【０００９】
本願請求項２の発明は、表表紙と裏表紙の間に綴り具で用紙が綴り込まれ、ファイルの上辺側又は下辺側でめくることが可能なファイルにおいて、前記綴じ具に立設された複数の綴じ杆に、前記裏表紙の上辺側寄り又は下辺側寄りに縦方向に前記綴じ杆と同じ間隔で形成された綴じ孔が通され、前記綴じ杆に、前記用紙の上辺側寄り又は下辺側寄りに縦方向に前記綴じ杆と同じ間隔で形成された綴じ孔が通されて前記用紙が重ねられ、前記綴じ杆に、前記表表紙の上辺側寄り又は下辺側寄りに縦方向に前記綴じ杆と同じ間隔で形成された綴じ孔が前記綴じ杆に通されて前記表表紙が前記用紙の上に重ねられ、前記表表紙から突出している前記綴じ杆に係止体が通されて固定され、前記係止体から突出している前記綴じ杆が切除されて係止体上が平にされ、前記表表紙の上辺側寄り又は下辺側寄りに設けられている背表紙シールが折り曲げて前記用紙の背表紙側と裏表紙に接着されて背表紙が形成されていることを特徴とするファイルである。
【発明の効果】
【００１０】
サイズの異なる小切手、手形等とこれらに関連する納付書控え、払い戻し請求書等のＡ５の伝票、あるいはＡ４書類をひとまとめに製本することができる。
【００１１】
製本後も上辺（あるいは下辺）をめくって伝票番号なども精査できる。
【００１２】
解体作業も簡単にできる。
【００１３】
孔をあけ、綴じ具で仮止めし、綴じ具を持って上下動させることによりチェックし、抜け落ち伝票があった場合には、抜け落ち分のみ孔をあけ直して所定の位置に再セットすることができる。
【図面の簡単な説明】
【００１４】
【図１】本発明のファイルの構成を示す分解斜視図である。
【図２】本発明に使用する綴じ具を示し、（ａ）は正面図、（ｂ）平面図である。
【図３】本発明に使用する綴じ具の係止体を示し、（ａ）は裏面図、（ｂ）は正面図、（ｃ）は係止孔用突起の縦断面図、（ｄ）は同平面図である。
【図４】本発明の製本において、表表紙を載せた状態を示す斜視図である。
【図５】綴じられていない伝票がないかチェックする状態を示す斜視図である。
【図６】綴じ杆に係止体を係止した状態を示す斜視図である。
【図７】背表紙シールの剥離紙を剥いでいる状態を示す斜視図である。
【図８】背表紙シールを折り曲げて背表紙を形成した状体を示す斜視図である。
【図９】製本されたファイルの綴じ部分と背表紙部分を示す断面図である。
【図１０】本発明のファイルの上辺をめくっている状態を示す斜視図である。
【図１１】本発明において、Ａ４サイズを綴じ杆に通した状態を示す断面図である。
【図１２】本発明において、Ａ４サイズを折り込む状態を示す断面図である。
【発明を実施するための形態】
【００１５】
本発明の実施例について図面を参照しながら説明する。
【実施例１】
【００１６】
本実施例では、図１において、用紙1、例えばＢ５サイズの用紙（例えば、帳票）が同サイズの表表紙２と裏表紙３の間に挟まれ、これらに形成されている綴じ孔４に綴じ具５（図２）の綴じ杆６が通されて製本される。
【００１７】
表表紙２には、上辺側寄り又は下辺側寄りに縦方向に綴じ杆６と同じ間隔で綴じ孔が４形成されている。本実施例では、綴じ具５の綴じ杆６を通す二つの綴じ孔４が下辺側寄りに形成され、製本後に上辺側をめくることができるようにしている。なお、逆に綴じ孔４を上辺寄りに形成すれば、製本後に下辺側をめくることができるようにすることも可能である。
【００１８】
表表紙２には、背表紙を形成する背表紙シール７が背表紙側の縦および横の辺に合わせて表表紙２の上辺側側寄り（又は下辺側寄り）に配置されるとともに、背表紙側に沿って折り曲げ可能に部分的に接着されている。上辺側側寄り（又は下辺側寄り）に配置することにより、製本後に、背表紙シール７が接着されない背表紙のない上辺側（又は下辺側）をめくることが可能となる。
【００１９】
背表紙シール７には表表紙２の綴じ孔４と一致する二つの綴じ孔４が設けられ、表面に接着剤が塗布され、剥離紙８が被覆されている。剥離紙８には、背表紙形成作業をしやすくするために、剥離紙８を部分的に剥離する切れ目９が形成されている。切れ目９の位置は、製本の過程で背表紙シール７を折り返した時に背表紙部分及び裏表紙３の背表紙近傍を貼着する領域１０と、シールを折り返す際に接着剤が指に着かないようにするつかみ代の領域１１とに分ける境界部分に設ける。また、背表紙シール７の裏面の背表紙となる部分には予め、表題を印刷あるいは表題を記入する欄を設ける。
【００２０】
裏表紙３にも、表表紙２に形成されている綴り孔４の位置に合わせて、綴じ具の綴じ杆６を通す二つの綴じ孔が形成されている。
【００２１】
図２に示すように、綴じ具５は、２本の綴じ杆６が所定の間隔をおいて連結体１２に立設されている。綴じ杆６の根本１３は、用紙１の綴り孔４に押し込まれて綴じ杆６と用紙が強固に係止できるように肉厚に形成する。綴じ杆６と連結体１２とは一体成形され、綴じ杆６がカッターナイフで切れ目を入れて折ることにより容易に切除することができる合成樹脂を使用する。
【００２２】
綴じ杆６には、後述する係止体１４（図３）を係止するための係止突起１５が上下方向に所定の間隔で形成されている。係止突起１５は、係止体５を通し易くするとともに確実に係止するため、円錐台形がよい。
【００２３】
綴じ杆６に係止する係止体１４は、図３に示すように、板状体に綴じ杆6と合致する位置に、係止孔１６を有する係止孔用突起１７が設けられている。係止孔１６内には、綴じ杆６の係止突起１５に引っ掛かる複数の係止片１８が設けられている。なお、係止片１８は、係止孔用突起１５を上側にして逆から押し込むと、綴じ杆６の係止突起１５をスライドして拡げられて引っ掛からずに抜くことができる。
【００２４】
次に、本発明による製本方法について図面を参照しながら説明する。
【００２５】
図1に示すように、裏表紙３の綴じ孔に綴じ具の綴じ杆６を通し、この綴じ杆６に、伝票１の綴じ孔４を通して伝票を順次重ねていき、所定の枚数になると、図４に示すように、その上に表表紙２の綴じ孔４に綴じ具の綴じ杆６を通して載せる。
【００２６】
仮綴じをする場合には、係止体１４の係止孔用突起１７を上側にして係止孔１６を綴じ杆６に通して止めるが、係止孔用突起１７を上側にしているので、係止突起１５が係止片１８に引っ掛かることなく係止体１４は抜くことができる。このとき、図５示すように、綴じ具の綴じ杆６を持って上下動させることにより綴じられていない伝票がないかチェックし、抜け落ちた伝票１９があった場合には、綴じ孔をあけ直して所定の位置に再セットする。
【００２７】
次いで、図６に示すように、綴り杆６に係止体１４の係止孔用突起１７を下側にして係止孔１６を通して係止体１４を押さえると、係止孔１６内の係止片１８が綴じ杆６の係止突起１５に引っ掛かって係止体１４が抜けなくなる。
【００２８】
係止体１４を綴じ杆６に通して表表紙７を固定した後、図7に示すように、係止孔１６から突出している綴じ杆６の下部にカッターナイフで切れ目を入れ、折って取り除いて平にする。
【００２９】
次いで、図7に示すように、背表紙シール７の背表紙部分及び裏表紙の背表紙近傍を貼着する領域１０の剥離紙を切れ目9に沿って剥離して接着剤層を露出させ、つかみ代１１をつかんで背表紙シール７を折り曲げて裏返し、図８および図９に示すように、背表紙部分及び裏表紙の背表紙近傍を接着し、その後、つかみ代１１の剥離紙を剥離して裏表紙に接着して、製本が完了する。
【００３０】
製本されたファイルは、図１０に示すように、伝票１の上辺をめくって伝票番号を検索して伝票をチェックすることが可能となる。
【００３１】
なお、Ａ４サイズの用紙を綴じる場合は、図１１に示すように、Ａ４サイズの用紙２０を重ねて綴り杆６に通し、残り半分を折り曲げて重ね、図１２に示すように半分に折り曲げた部分２１の背表紙側の辺を上辺に一致するように折り曲げてＢ５の用紙に一致させて綴じる。その後、前述の手順で用紙と表表紙を重ねて綴じて製本する。
【００３２】
ファイルを分解する場合には、ファイルを二つ分けて開き、綴り杆にカッターナイフで切れ目を入れた後、ファイルを表表紙と背表紙が向かい合うようにさらに開くと、綴り杆が折れてファイルが二分されるので、用紙を容易に綴り杆から取り外すことができる。
【符号の説明】
【００３３】
１：用紙
２：表表紙
３：裏表紙
４：綴じ孔
５：綴じ具
６：綴じ杆
７：背表紙シール
８：剥離紙
９：切れ目
１０：背表紙近傍を貼着する領域
１１：つかみ代の領域
１２：連結体
１３：根本
１４：係止体
１５：係止突起
１６：係止孔
１７：係止孔用突起
１８：係止片
１９：抜け落ちた伝票
２０：Ａ４サイズの用紙
２１：半分に折り曲げた部分
【図１】
2014213528.tif 000003
【図２】
2014213528.tif 000004
【図３】
2014213528.tif 000005
【図４】
2014213528.tif 000006
【図５】
2014213528.tif 000007
【図６】
2014213528.tif 000008
【図７】
2014213528.tif 000009
【図８】
2014213528.tif 000010
【図９】
2014213528.tif 000011
【図１０】
2014213528.tif 000012
【図１１】
2014213528.tif 000013
【図１２】
2014213528.tif 000014